(57)【特許請求の範囲】
【請求項１】
開閉部を本体ケース（３）内部に収納した工事用開閉器（１）の課電状態や相順を確認するための表示部（６ｅ）を備えた検電検相器（６）を本体ケース（３）の底面に対し取付するための構造であって、一方の前記本体ケース（３）の底面（３ａ）には外部へ突出し所定間隔をおいて配置される２箇所の突起部（５）を設け、また他方の前記検電検相器（６）には、前記表示部（６ｅ）とは対向した面に取付金具（１１）を設け、而も前記取付金具（１１）には前記突起部（５）が挿通され前記突起部（５）に対応する位置に設けられた切欠部（１１ａ）と、前記切欠部（１１ａ）へと傾斜するガイド部（１１ｃ）とを設けると共にさらに前記取付金具（１１）には前記突起部（５）を保持するための保持部材（１２）を前記切欠部（１１ａ）に配置し、さらに前記突起部（５）には前記切欠部（１１ａ）に挿通可能な支持部（５ａ）と、前記支持部（５ａ）の端部には前記切欠部（１１ａ）の幅より大径の保持部（５ｂ）とを設けたことを特徴とする検電検相器の取付構造。
【発明の詳細な説明】
【技術分野】
【０００１】
本発明は、高圧配電線路などの電路の工事に使用される工事用開閉器の検電検相を行うための検電検相器に関するものである。更に詳しくは、電柱の高所に設置された開閉器等の取替え工事を行うために用いられる工事用開閉器に使用される検電検相器を容易に着脱でき、しかも安定した取付状態を提供するものである。
【背景技術】
【０００２】
高圧配電線路において、支持碍子の取替、柱上用電気機器類等の取替え工事を行う場合には、電力会社では需要家に対して無停電で電力の供給を行うため、工事区間の電線と並列にバイパス線路を付設している。このバイパス線路を付設するためには、電柱に工事用開閉器が取付けられる。具体的には、工事区間の既存線路は課電状態を保ちながら、工事用開閉器を開放状態とし新たにバイパス線路を工事区間と並列に形成する。その際、工事用開閉器に接続された電源側と需要家側の絶縁ケーブルの相順、充電状況等の点検を行う必要がある。
【０００３】
その為、作業者は工事用開閉器のブッシング近傍に設けられた検電端子に検電検相器を接触させて点検作業を行ってきた。さらに検結果については、検電検相器に設けられた表示部により目視にて確認作業を行ってきた。
【０００４】
従来の点検作業においては、作業者は表示部が上部になるようケースに入れられた検電検相器を首から下げ、検電検相器に接続されている点検端子を両手に持ち、その状態で工事用開閉器の下方側よりブッシングに設けられた検電端子に接触させて点検作業を行ってきた。そのため、作業者は、検電端子に点検端子を接触させるために上方を確認し、点検結果を知るために下方を確認する作業となっていた。
【０００５】
また、工事用開閉器の底面に水平に配設された複数の取付用ガイドを備え、前記ガイドに受信機の上面に対応した位置に設置されているパイプを挿通させ、受信機を開閉器へ装着させる構成がある。（特許文献１参照）
【０００６】
前記発明により、受信機の取付においては開閉器の底面に設けたガイドに受信機の上面に設けられたパイプを挿通させた後、ガイド先端部に設けた係止部にパイプ端部が保持されるため受信機が脱落せず、取付操作が容易となった。
【特許文献１】実公平３−１９１５６号公報
【発明の開示】
【発明が解決しようとする課題】
【０００７】
しかし、従来の検電検相器の構成であれば点検作業において点検結果を確認する際、一端作業者は目線を下方に向けることにより作業者が持つ点検端子と開閉器側の検電端子とが離れたり又は不十分な接触状況となることで正しく検電検相作業が行えない可能性があった。
【０００８】
また、実用新案公報記載の発明においては、開閉器の底面に受信機を装着していることで前述のように作業者の目線を大きく変更することはないものの、受信機の取付作業においては受信機に設けられたパイプに対して開閉器底面のガイドを挿通させて行うことにより、作業者としては取付前に受信機の挿通場所が限定されるために作業性の面での問題があった。
【０００９】
さらに、受信機の取付構成においては、取外し動作においては取付動作と逆方向の方法ではなく、一端受信機を取付方向へスライドさせながら、ガイド先端部の係合部を解除させる動作が追加されることで着脱操作において操作方法が異なり、而取付構造に関連する部品点数が多くコスト面でも安価ではなかった。
【課題を解決するための手段】
【００１０】
本発明においては上記のように安価な構成を達成するために、開閉部を本体ケース（３）内部に収納した工事用開閉器（１）の課電状態や相順を確認するための表示部（６ｅ）を備えた検電検相器（６）を本体ケース（３）の底面に対し取付するための構造であって、一方の前記本体ケース（３）の底面（３ａ）には外部へ突出し所定間隔をおいて配置される２箇所の突起部（５）を設け、また他方の前記検電検相器（６）には、前記表示部（６ｅ）とは対向した面に取付金具（１１）を設け、而も前記取付金具（１１）には前記突起部（５）が挿通され前記突起部（５）に対応する位置に設けられた切欠部（１１ａ）と、前記切欠部（１１ａ）へと傾斜するガイド部（１１ｃ）とを設けると共にさらに前記取付金具（１１）には前記突起部（５）を保持するための保持部材（１２）を前記切欠部（１１ａ）に配置し、さらに前記突起部（５）には前記切欠部（１１ａ）に挿通可能な支持部（５ａ）と、前記支持部（５ａ）の端部には前記切欠部（１１ａ）の幅より大径の保持部（５ｂ）とを設けたことを特徴とする検電検相器の取付構造である。
【発明の効果】
【００１１】
上記発明の検電検相器の取付構造により、検電検相器の取付作業においては工事用開閉器の底面に設けられた突起部に検電検相器の取付金具に設けられたガイド部を当接させながら取付方向へスライドさせることで容易に設置できる。
【００１２】
さらに検電検相器は本体ケースの突起部に設けられた保持部と検電検相器の取付金具に設けられた切欠部が係止されることで脱落することが防止できる。
【００１３】
また、検電検相器の着脱方法としては、取付金具に設けられた保持部材を介して工事用開閉器側の突起部を係合させているため、操作が非常に簡単である。
【００１４】
さらに検電検相器を工事用開閉器へ取付けるための構造は、部点数が少なく、而単純な部品形状で構成されているため安価なコストでの構成が可能となった。
【発明を実施するための最良の形態】
【００１５】
発明を実施するための最良の形態を図に基づいて説明する。
図１乃至図６は、本発明の実施例を示す。
【００１６】
図１に示すように工事用開閉器１は、金属材料からなる、例えばステンレス板や鋼板からなる上部が開口した箱形状の本体ケース３内部に可動電極部、固定電極部、消弧室の開閉部と可動電極部を動作させるための操作機構部を収納しており、それらは蓋体８を被せることにより本体ケース３内部を気密状態に確保されている。
【００１７】
本体ケース３の両側には可動電極部、固定電極部と接続された電源側及び負荷側のブッシング７が相対して貫装取付されており、ブッシング７にはケーブルホルダー７ａが設けられている。また、本体ケース３正面側には、操作機構部と連動して可動電極部の開放、投入動作を行うための操作ハンドル２が備えられている。
【００１８】
図２に示すように工事用開閉器１の底面３ａには後述する取付構造により検電検相機能を備えた公知の検電検相器６を着脱自在に取付けるようにしている。検電検相器６はブッシング７、或いは可動電極部や固定電極部の充電部において検出される信号を、コードを介して本体ケース３に固定されたコネクター９へと接続し、それに対して検電検相器６に設けられたコード１０を接続し試験を行うことで、その信号に基づいて検電、検相を行った結果を表示部６ｅやブザー等で作業者に知らせるように構成されている。
【００１９】
検電検相器６は略立方体形状で樹脂材料や金属材料からなるケース６ａ表面に、検電検相の試験を開始するための「試験」ボタン６ｃ、検電検相器６の電源をＯＮ、ＯＦＦするための「入」ボタン６ｂ、「切」ボタン６ｄと試験結果を作業者に知らせるための発光ダイオードを用いた検電・検相用の表示部６ｅやブザーを用いたスピーカ部６ｆを備えている。また、ケース６ａ内部には、周知の技術で構成された検電検相を行うための電子基板が収納されている。
【００２０】
図４に示すように側面部には、工事用開閉器１の検電部より電気的に接続されたコネクター９部と接続するために先端部に着脱が容易に行えるように端子ソケット１０ａを設けたコード１０を備えている。また、検電検相器６の表示部６ｅ側とは対向する裏面側には、電池を収納するための電池収納部６ｆと検電検相器６を工事用開閉器の底面３ａに取付けるための取付金具１１が設けられており、取付金具１１は金属材料や樹脂材料の板材からなる中央部に切欠部１１ａと弾性部材を後述する支持金具５に対応した位置にそれぞれ配置されている。
【００２１】
次に取付構造について説明する。
工事用開閉器１の底面３ａには所定間隔をおいて略円柱形状の支持金具５を２箇所外側へ向けて本体ケース３の鉛直に立設されており、検電検相器６は図３に示すように右方向へスライドさせることで支持金具５と切欠部１１ａが勘合することで設置でき、また取付方向に対して逆方向へスライドさせることで取外しが可能となる。
【００２２】
支持金具５は円柱形状の支持部５ａと、支持部５ａの端部である支持部５ａより大径の円盤形状の保持部５ｂで形成されており、支持部５ａは後述する取付金具１１の切欠部１１ａと勘合するために設けられ、保持部５ｂは検電検相器６を取付けた際に下方へ滑り落ちることを防止するためのストッパーとして設けられている。
【００２３】
検電検器６に設けられた取付金具１１は略くの字形状をした金属材料又は樹脂材料の板材で形成されており、片側の中央部には支持金具５の支持部５ａとほぼ同じ幅の切欠部１１ａを備え、切欠部１１ａと連続的に繋がる鈍角を形成する端辺によりガイド部１１ｃを構成されている。このガイド部１１ｃにより検電検相器６を取付ける際には、支持金具５をガイド部１１ｃと接触させながら取付方向（図３での右方向）へ移動させることで支持金具５を中央部の切欠部１１ａへと案内するために設けられている。
【００２４】
本実施例のガイド部１１ｃは取付金具１１の端辺を利用して設けているが、これに限らず本発明の目的を達成できるものであれば良く、例えば検電検相器６のケース面より延伸して取付金具１１の切欠部１１ａへと案内するためのガイドを設けてもかまわない。
【００２５】
なお、取付金具１１は切欠部１１ａが支持金具５に対応する位置にそれぞれ設けられ、検電検相器６の底面に立設された取付支持部材６ｇに固定され、底面と取付金具１１の間隔は支持金具５へと取り付けるために必要な隙間を確保し固定されている。
【００２６】
また、取付金具１１の切欠部１１ａ周辺には金属材料で線形状のワイヤーにて形成され支持金具５の支持部５ａより小径のＵ字部１２ａと前記Ｕ字部１２ａの端部よりそれぞれ延長され先端が直角に曲げられた腕部１２ｂを備えた保持部材１２を設け、保持部材１２は取付金具１１に設けた支持穴１１ｂに腕部１２ｂを挿通させ切欠部１１ａとＵ字部１２ａが重なり合うように支持されている。
【００２７】
保持部材１２は、図６に示されるように取付金具１１への取付前の状態においては支持穴１１ｂの距離より狭くなるように腕部１２ｂが構成されており、そのため取付金具１１へ取付けた状態において腕部１２ｂは保持部材１２の有する弾性力により支持穴１１ｂの内側に当接している。一方、支持金具５と勘合する際にはＵ字部１２ａが押し広げられ勘合するため、腕部１２ｂも同様に押し広げられるために外側へ移動する。そのため、支持穴１１ｂは腕部１２ｂが上記のように移動することが出来る程度の大きさの穴が設けられている。
【００２８】
なお、保持部材１２は前記金属性の線材によるものに限らず、本発明の目的を達成するものであれば良く、例えば弾性のゴム材料からなるＵ字形状の部材を取付金具１１の切欠部１１ａと重なり合うように固定してもかまわない。
【００２９】
また、支持金具５には保持部５ｂがあるために、保持部材１２の保持力は検電検相器６の重量を保持する必要はなく、図３中における取外し方向（左方向）への移動を規制する程度の弱い力で十分である。
【００３０】
次に工事用開閉器１に対する検電検相器６の取付並びに取外し方法について説明する。まず、工事用開閉器１を周知の通り電柱の高所に装柱金具を用いて取付ける。その後、作業者は検電検相器６を携えて前記電柱に登る。
【００３１】
そこで、検電検相器６の表示部６ｅが下方へ向くように手に持ち、工事用開閉器１の底面３ａに設けられた支持金具５と取付金具１１のガイド部１１ｃを接触させながら工事用開閉器１の底面３ａと平行に取付方向（図○における右方向）へとスライドさせる。すると、取付金具１１に設けた切欠部１１ａへと自然に案内され、その後２箇所の保持部材１２と支持金具５が同時に勘合する。勘合が終了すると検電検相器６は作業者が手を離した場合であってもしっかりと工事用開閉器１の底面３ａに保持された状態となっている。
【００３２】
検電検相器６が工事用開閉器１の底面３ａに設置された後、検電検相器６の側面に設けられた端子ソケット１０ａを手に持ち、それを工事用開閉器１のコネクター９へと接続することで検電検相器６の試験を行うための設置が完了する。
【００３３】
また、検電検相器６の取外し方法は、上記とは逆の手順にて行う。つまり、工事用開閉器１に接続されたコード１０を取外し、その後検電検相器６を手に持ち、同器を取外し方向（図３中左方向）へ底面３ａに対して平行にスライドさせる。スライドさせることにより保持部材１２と支持金具５の勘合が外れ検電検相器６の取外しが完了する。
【００３４】
上記のように、検電検相器６の取付は取付金具１１に設けたガイド部１１ｃにより支持金具５を容易に切欠部１１ａへと案内でき、而切欠部１１ａに設けた弾性のある保持部材１２により容易に着脱が可能となっている。
【００３５】
さらに、支持金具５に設けた保持部５ｂにより保持部材１２の保持力は特に大きな力を必要とせず、而検電検相器６が支持金具５に対して滑り落ちることながい。
【図面の簡単な説明】
【００３６】
【図１】本発明の取付構造で開閉器へ検電検相器を取付けた状態の側面図。
【図２】本発明の取付構造により開閉器へ検電検相器を取付けた状態の底面図。
【図３】検電検相器を動作方向へスライドさせ取付けた状態図。
【図４】本発明の取付構造における支持金具と取付金具の位置関係を表した図。
【図５】支持金具と保持部材が係合した状態図。
【図６】取付構造に関する主要部品図。ａ）取付金具の正面図、ｂ）保持部材の正面図と側面図、ｃ）支持金具の詳細図
【符号の説明】
【００３７】
１    工事用開閉器
３    本体ケース
５    支持金具
５ａ  支持部
５ｂ  保持部
６    検電検相器
６ｅ  表示部
７    ブッシング
７ａ  ケーブルホルダー
１０  コード
１１  取付金具
１２  保持部材
【図１】
0004658915.tif 000002
【図２】
0004658915.tif 000003
【図３】
0004658915.tif 000004
【図４】
0004658915.tif 000005
【図５】
0004658915.tif 000006
【図６】
0004658915.tif 000007